(57)【要約】【目的】  巻尺の測定テープにおけるテープエッジ部の折れを防止するため、高速でケース内に引き込まれる測定テープに手を添えたり、また、減速用ブレーキを操作することなく、通常の巻き取りでも十分にテープエッジ部の折れを低減可能な巻尺を提供できるようにすることを目的とする。【解決手段】  透明フィルム１を、測定テープ２の少なくとも凹面側２ａにおける先端乃至該先端に設けられるフック部材３の後方近傍から測定テープ２の表示目盛の略１００ｃｍまでの範囲内に設ける。【選択図】  図１
2014048114.tif 000002
【特許請求の範囲】
【請求項１】
ケース内に、測定テープを周囲に巻き回し、該測定テープを巻き取り方向に付勢する付勢手段を内装した回転ドラムを回転自在に支持する自動巻取り式の巻尺であって、透明フィルムを、測定テープの少なくとも凹面側における先端乃至該先端に設けられるフック部材の後方近傍から測定テープ表示目盛の略１００ｃｍまでの範囲内に設けていることを特徴とする巻尺。
【請求項２】
上記透明フィルムを、測定テープの中央部を除いた両エッジ部乃至この近傍に設けていることを特徴とする請求項１に記載の巻尺。
【発明の詳細な説明】
【技術分野】
【０００１】
本発明は、自動巻き取り式の巻尺に関し、特に、測定テープを高速で巻き取っている時に発生し易いテープエッジ部の折れを低減した巻尺に関する。
【背景技術】
【０００２】
測定テープは、未使用時にはケース内に回転自在に支持された回転ドラムに巻き回された状態になっていて、この測定テープをケース外に引き出していくと該回転ドラムがテープ引き出し方向に回転すると共にこの回転ドラムに内装する付勢手段たるぜんまいばねが付勢されて（巻かれて）いくようになっている。
【０００３】
そして、測定テープをケース内に収納する際は、測定テープから手を離すことによって回転ドラムに内装している付勢状態のぜんまいばねが解放され、これにより回転ドラムがテープ引き出し方向と反対の方向に回転して測定テープを回転ドラムに巻き取っていき、該測定テープはケース内に収納される。
【０００４】
しかしながら、回転ドラムが測定テープを巻き取っていく巻き取り速度が速いと、図６に示すように、ケース７外にある測定テープ８がテープ面に対し上下方向（図中の矢印Ｄ，Ｅ）に暴れたり、またテープ幅方向に捩れ、そしてこの上折れまたは下折れや捩れた状態のままケース７内に引き込まれてしまうと、該測定テープ８の幅方向の両端部すなわちテープエッジ部９に折れが生じるのであった。
【０００５】
このため、測定テープが上折れまたは下折れ、また捩れた状態のままでケース内に引き込まれないようにするため、高速でケース内に引き込まれる測定テープに危険を承知で手を添えて該測定テープの巻き取り速度を低下させたり、また、測定テープの減速用ブレーキを備えるものは、該ブレーキを操作することによって測定テープの巻き取り速度を低下させていた。
【先行技術文献】
【特許文献】
【０００６】
【特許文献１】特開２００４−２２６１２５号公報
【発明の概要】
【発明が解決しようとする課題】
【０００７】
本発明の目的とするところは、高速でケース内に引き込まれる測定テープに手を添えたり、また、減速用ブレーキを操作することなく、通常の巻き取りでも十分に測定テープのテープエッジ部の折れを低減可能な巻尺を提供できるようにすることにある。
【課題を解決するための手段】
【０００８】
上述した課題を解決するために、本発明に係る巻尺は、ケース内に、測定テープを周囲に巻き回し、該測定テープを巻き取り方向に付勢する付勢手段を内装した回転ドラムを回転自在に支持する自動巻取り式の巻尺であって、透明フィルムを、測定テープの少なくとも凹面側における先端乃至該先端に設けられるフック部材の後方近傍から測定テープ表示目盛の略１００ｃｍまでの範囲内に設けていることを特徴とするものである。
【０００９】
本巻尺は、通常本体ケースが一対の２つ割のケースからなっていて、この一方のケース内面に軸が立設され、この軸に、測定テープを周囲に積層状に巻き回する回転ドラムが支持されている。なお、ケースの構成形態によっては、３つ以上のケース部材を組み合わせてなるものもある。
【００１０】
また回転ドラムの内部にはぜんまいばねが設けられていて、この回転ドラムの周囲に巻き回する測定テープをケースの外方に引き出していくことによってこのぜんまいばねに付勢力が蓄積されていく。
【００１１】
そして、この蓄積された付勢力を解放すると、ぜんまいばねが初期状態に戻ろうとする作用により、引き出されている測定テープをケース内に引き込むと共に回転ドラムを回転させてこの回転ドラムの周囲に巻き回していく。
【００１２】
このような構成の巻尺における測定テープの凹面側に、透明フィルムを適当な接着手段や粘着手段を用いて貼り付けている。また、熱収縮する筒状の透明フィルムを測定テープに被着してもよい。
【００１３】
そして、透明フィルムは、測定テープの先端すなわち測定テープ上の自由端部から測定テープ表示目盛の略１００ｃｍまでの範囲内、また、測定テープの先端に設けられるフック部材下方の測定テープ上（フック部材の配置範囲内に位置する測定テープ上）から測定テープ表示目盛の略１００ｃｍまでの範囲内、また、該フック部材の後方近傍から測定テープ表示目盛の略１００ｃｍまでの範囲内に設ける。また、フック部材の後方とは、該フック部材の測定テープが巻き取られる方向に位置する縁辺部から該測定テープの巻き取り方向に適宜離れた測定テープ上のところである。
【００１４】
そして、透明フィルムは、設置範囲内における測定テープ凹面上をほぼ覆うように設けてもよいが、測定テープの幅方向における中央部を除いた両テープエッジ部（テープエッジの略縁）乃至この近傍（テープエッジの縁から数ミリ内方に位置するテープエッジ寄り）にだけ設けてもよい。
【００１５】
なお、透明フィルムを所定の位置に設ける場合は、好適な公知技術を用いて設ければよく、例えば、接着剤や粘着剤を用いて該透明フィルムをテープ面に貼り付ける。
【００１６】
また、透明フィルムは、測定テープの形態や測定テープ巻き取り用のぜんまいばねの仕様によって好適な素材を選定して用いればよいが、通常では合成樹脂素材（例えば、ポリエステルやポリ塩化ビニル、またこれらを基に生産される素材）の柔軟性の透明フィルムを用いるのがよい。
【００１７】
透明フィルムの柔軟性の程度とは、測定テープに設けた際、該測定テープに追従して動くことができ、例えば、測定テープが回転ドラムに巻き取られるとき、該測定テープの透明フィルムを貼り付け部分も支障なく巻き取られる柔らかさであり、また、測定テープを凹面側または凸面側に１８０度折り曲げた際も、透明フィルムが剥がれない柔らかさである。
【００１８】
本発明に用いる透明フィルムとは、フィルムを透して測定テープの目盛などの表示体を認識できるフィルム全部を透明フィルムとしており、従って、着色などにより半透明になっているフィルムも本発明に用いる透明フィルムに属するものである。
【００１９】
また、透明フィルムとは極薄状の透明板体も含む。さらには、測定テープに塗布する前は液体や流動体の状態で、塗布後に硬化して柔軟なフィルム状になるものも含む。
【発明の効果】
【００２０】
本発明の巻尺によれば、透明フィルムを測定テープの先端部寄りに設けることで、測定テープを高速でケース内に引き込んでいるとき、テープ先端から１００ｃｍまでの範囲内で生じていた該測定テープがテープ面に対し上下方向に暴れたり、またテープ幅方向に捩れて、該テープ面に対し上折れまたは下折れ、またテープ幅方向に捩れが生じた場合でも、この上折れまたは下折れ、また捩れた状態から直状に復帰するまでの時間を従来よりも短縮できるので、これによって測定テープがケース内に引き込まれるときには該測定テープが直状に復帰して、テープエッジ部に生じていた折れを大に低減できる。
【００２１】
すなわち、測定テープが上折れまたは下折れ、また捩れた状態から直状に復帰する際に、該測定テープと共に上折れまたは下折れ、また捩れた状態になっている透明フィルムが測定テープの直状復帰力を補助して該測定テープの直状復帰速度を加速させ、測定テープがケース内に引き込まれるまでに該測定テープを直状に復帰させている。
【００２２】
また、透明フィルムを、測定テープの少なくとも凹面側における先端乃至該先端に設けられるフック部材の後方近傍から測定テープ表示目盛の略１００ｃｍまでの範囲内に設けているので、測定テープを１００ｃｍ近くで折り曲げて寸法測定を行う業種特有の使用形態のときでも、上述したように、測定テープのテープエッジ部に生じていた折れを大に低減できる。
【図面の簡単な説明】
【００２３】
【図１】本発明に係る巻尺を示す斜視図。
【図２】本発明に係る巻尺を示す斜視図。
【図３】測定テープの先端寄りの断面図。
【図４】測定テープの引き込まれる状態を示した図。
【図５】巻尺の使用形態の一例を示す図。
【図６】従来の巻尺における測定テープが引き込まれる状態の一例を示す図。
【発明を実施するための形態】
【００２４】
以下、本発明に係る巻尺を、添付図面に示す具体例に基づいて説明すると、図１は、透明フィルム１を、測定テープ２の凹面側２ａにおけるフック部材３の後方近傍からテープ表示目盛の略１００ｃｍまでの範囲内に設けているものである。また、フック部材３の後方は、測定テープ２上に位置している。
【００２５】
図２は、透明フィルム１を、測定テープ２の中央部を除いたテープエッジ部２ｃの近傍にそれぞれ設けたものである。
【００２６】
図３中の（ａ）は、透明フィルム１が板状のもので、これを測定テープ２の凹面側２ａに設けた（貼り付けた）ものを示し、図３中の（ｂ）は、測定テープ２の幅方向における中央部を除いた両テープエッジ部２ｃ（テープエッジの略縁）に設けた（貼り付けた）ものを示し、図３中の（ｃ）は、透明フィルム１が筒状の熱収縮フィルムのもので、これを測定テープ２に被着して凹面側２ａとこの背面側たる凸面側２ｂにも設けたものである。
【００２７】
以下、上述のように構成した本発明に係る巻尺の作用について説明すると、図４中の（ａ）参照のように、高速巻き取り中の測定テープ２が図中の矢印Ａ，Ｂのようにテープ面に対して上下方向に暴れたり、またテープ幅方向に捩れた場合でも、透明フィルム１が測定テープ２の直状復帰力を補助して該測定テープ２の直状復帰速度を加速させ、図４中の（ｂ）参照のように、測定テープ２がケース４内に引き込まれるまでに該測定テープ２を直状に復帰させる。
【００２８】
また、透明フィルム１が、測定テープ２の先端に設けられるフック部材３の後方近傍から測定テープ２の表示目盛の略１００ｃｍまでの範囲内に設けられているので、図５参照のように、測定テープ２を１００ｃｍ近くで折り曲げて寸法測定を行う業種特有の使用形態のときでも、透明フィルム１が測定テープ２の直状復帰力の補助力となって、テープエッジ部２ｃの折れを抑制する。
【００２９】
なお、透明フィルム１は、引っ掛かりを低減させるためアール状の角部（図１および図２中の符号１ａ）にしている。
【００３０】
実施例における符号５は、ケース４すなわち巻尺を作業者のベルトに係着させるためのベルトクリップ、符号６は、引き出した測定テープ２を任意の位置で停止させるための制動レバーである。
【００３１】
本実施例では、透明フィルム１を、測定テープ２の先端に設けられるフック部材３の後方近傍から測定テープ２表示目盛の略１００ｃｍまでの範囲内、すなわち、フック部材３後端の略２ｍｍ程度離したところから測定テープ２表示目盛の１００ｃｍを少し超えるところまでの該測定テープ２上に設けているものを示しているが、フック部材３の後方近傍から測定テープ２表示目盛の略１００ｃｍまでの範囲内であれば、例えば、透明フィルム１をフック部材３の後方近傍から測定テープ２表示目盛の略４０ｃｍのところまで設けることで、測定テープ２を１００ｃｍ近くで折り曲げて寸法測定をすることがない業種に用いられる測定テープ２では、十分に測定テープ２がケース内に引き込まれるときに該測定テープ２の上下方向への暴れや幅方向への捩れが主原因で生じるテープエッジ部９の折れを大に低減できる。
【００３２】
なお、透明フィルムは、測定テープの少なくとも凹面側における先端乃至該先端に設けられるフック部材の後方近傍から測定テープ表示目盛の略１００ｃｍまでの範囲内であれば、上述の測定テープ２表示目盛の略４０ｃｍ、あるいは測定テープ２表示目盛の例えば略６０ｃｍや略８０ｃｍのところまでとする場合もあり、測定テープの仕様形態や使用形態などによって透明フィルムの設ける（貼り付ける）範囲は決定される。
【符号の説明】
【００３３】
１…透明フィルム
１ａ…アール状角部
２…測定テープ
２ａ…凹面側
２ｂ…凸面側
２ｃ…テープエッジ部
３…フック部材
４…ケース
５…ベルトクリップ
６…制動レバー
７…ケース
８…測定テープ
９…テープエッジ部
【図１】
2014048114.tif 000003
【図２】
2014048114.tif 000004
【図３】
2014048114.tif 000005
【図４】
2014048114.tif 000006
【図５】
2014048114.tif 000007
【図６】
2014048114.tif 000008